(57)【要約】【課題】プリント基板を搭載した既提案の電磁弁の電磁弁本体を、上記プリント基板を搭載しない場合にもそのまま利用可能にする給電装置を備えた電磁弁を提供する。【解決手段】通路切換部１１の側面に上記電磁操作部１２のコイル２９に導通するソケット４１を備えた電磁弁本体１０に給電するための給電装置１３を備える。該給電装置１３は、端子カバー４３の内側から端子箱装着孔４７に給電線５５を挿入したうえで端子箱装着孔４７に給電用端子箱５０を挿入することにより、端子箱装着孔４７内に形成した固定段部７７と、給電用端子箱５０に形成した端子カバー支持部６２とを当接させ、給電用端子箱５０が端子箱装着孔４７内に抜止めされた状態で取り付けられる。【選択図】図１
2008309243.tif 000002
【特許請求の範囲】
【請求項１】
流体通路の切換えを行う通路切換部と該通路切換部を操作する電磁操作部とからなり、通路切換部の側面に上記電磁操作部のコイルに電気的に導通するソケットを備えた電磁弁本体、及び上記電磁操作部に給電するための給電装置を備えた電磁弁において、
上記給電装置が、電磁弁本体の側面において上記ソケットを覆う位置に取り付けられ、上記ソケットと対応する位置に端子箱装着孔が設けられた端子カバーと、給電線の先端に取り付けられて該端子箱装着孔内に装着される給電用端子箱とを有し、
上記給電用端子箱が，一面が開放する矩形の箱形をした端子収容箱と、該端子収容箱の開放する一面を塞ぐ蓋体とを有していて、これらの端子収容箱と蓋体との間に上記給電線の先端部と上記ソケットに挿入されるピン状の給電用端子とを介在させ、その状態でこれらの端子収容箱と蓋体とを相互に結合することによって上記給電用端子箱が一体に組み立てられ、この給電用端子箱を上記端子箱装着孔内に装着することによって上記給電用端子と上記ソケットとが相互に電気的に接続されており、
上記給電用端子箱は、上記端子カバーの内側から端子箱装着孔に給電線を挿入したうえで該端子箱装着孔に挿入され、端子箱装着孔内に形成した内向きの固定段部と、給電用端子箱に形成した端子カバー支持部とを当接させて、電磁弁本体に対する端子カバーの被着時に該給電用端子箱が端子箱装着孔に抜止めされた状態で取り付けられている、
ことを特徴とする電磁弁。
【請求項２】
上記端子収容箱と蓋体とにおける給電線導入部の相対する位置にそれぞれ半円溝が形成され、これらの半円溝間に上記給電線が挟持されていることを特徴とする請求項１に記載の電磁弁。
【請求項３】
上記端子収容箱と蓋体とが、一方に形成した係止用突部と他方に形成した係止穴との係止によって一体に結合されていることを特徴とする請求項１又は２に記載の電磁弁。
【請求項４】
上記蓋体が、弾性変形可能な左右の側壁と、これらの側壁に形成された複数の上記係止穴とを有し、上記端子収容箱は、上記左右の側壁間に弾力的に嵌め込まれていて、該端子収容箱の両側面に形成された複数の係止用突部が上記係止穴に係止していることを特徴とする請求項３に記載の電磁弁。
【請求項５】
上記端子収容箱が、その内部に凹溝状の端子収容室を有し、該端子収容室の中央部に係合用突部が突設され、上記給電用端子に形成した係合用孔が該係合用突部に係合して、給電用端子が端子収容箱内で位置決めされていることを特徴とする請求項３又は４に記載の電磁弁。
【請求項６】
上記端子カバーの一端側に電磁弁本体との接合面から突出する鉤形掛止部材が設けられ、該鉤形掛止部材が電磁弁本体に形成した掛止孔に挿入されて、鉤形掛止部材が該掛止孔の周縁部に掛止されると共に、端子カバーの他端側が固定ねじによって電磁弁本体に固定されていることを特徴とする請求項１〜５のいずれかに記載の電磁弁。
【発明の詳細な説明】
【技術分野】
【０００１】
本発明は、流体通路の切換えを行うための通路切換部と、該通路切換部を操作するための電磁操作部と、該電磁操作部に通電するための給電装置を備えた電磁弁に関する。
【背景技術】
【０００２】
本出願人は、先に、特願２００６−３３７５２８号として電磁弁の給電に関する技術を提案している。この既提案の電磁弁では、通路切換部と該通路切換部を操作する電磁操作部とからなる電磁弁本体、及び上記電磁操作部に給電するための給電装置を備え、上記給電装置が、電磁弁本体の側面に取り付けられる端子カバー内に該電磁弁本体の側面に配設される基板を有し、この基板には、電磁弁本体に設けられて上記電磁操作部に電気的に導通しているソケット状の中継端子に挿入して電気的に接続されるピン状の中継端子と、上記両中継端子を介して電磁操作部に導通する受電用端子とを備え、上記端子カバーの上記受電用端子と対応する位置に設けられたソケット装着孔に、給電線の先端に取り付けられた給電用ソケットを装着して、電磁操作部に給電するようにしている。
【０００３】
上記既提案の電磁弁では、給電制御用のサージ保護回路や節電回路等を有する電子部品を接続したプリント基板を電磁弁に搭載することを前提としているが、上記プリント基板を搭載することなく、外部において給電制御を行う場合などもあり、その場合には、上記プリント基板の搭載を省略した製品が要求される。しかしながら、当該プリント基板を備えた電磁弁を汎用品として大量に生産することになると、プリント基板を省略する場合にも共通の電磁弁本体を使用して、給電装置のみを別途設計したものとするのが、製品を安価に提供できるために望まれる。
【０００４】
但し、上記電磁弁本体では、電磁操作部に電気的に導通しているソケット状の中継端子を通路切換部に設けて、基板に設けたピン状の中継端子をそれに挿入するようにしているので、基板を省略する場合に、上記ソケット状の中継端子に、電源に接続されたピン状の中継端子を直接挿入して接続するような構成は、安全性の観点から採用できず、電気的に安全な構造として給電装置を構成する必要がある。
【発明の開示】
【発明が解決しようとする課題】
【０００５】
本発明の基本的課題は、前記既提案の電磁弁において、給電装置内に設けている給電制御用の電子部品を接続したプリント基板の搭載を省略するが、その場合にも電磁弁本体はそのまま利用可能にするための電磁操作部への給電装置を提供し、しかもその組立及び電磁弁本体への装着を簡単化したものとして提供することにある。
【課題を解決するための手段】
【０００６】
上記課題を解決するため、本発明は、流体通路の切換えを行う通路切換部と該通路切換部を操作する電磁操作部とからなり、通路切換部の側面に上記電磁操作部のコイルに電気的に導通するソケットを備えた電磁弁本体、及び上記電磁操作部に給電するための給電装置を備えた電磁弁において、上記給電装置が、電磁弁本体の側面において上記ソケットを覆う位置に取り付けられ、上記ソケットと対応する位置に端子箱装着孔が設けられた端子カバーと、給電線の先端に取り付けられて該端子箱装着孔内に装着される給電用端子箱とを有し、上記給電用端子箱が，一面が開放する矩形の箱形をした端子収容箱と、該端子収容箱の開放する一面を塞ぐ蓋体とを有していて、これらの端子収容箱と蓋体との間に上記給電線の先端部と上記ソケットに挿入されるピン状の給電用端子とを介在させ、その状態でこれらの端子収容箱と蓋体とを相互に結合することによって上記給電用端子箱が一体に組み立てられ、この給電用端子箱を上記端子箱装着孔内に装着することによって上記給電用端子と上記ソケットとが相互に電気的に接続されており、上記給電用端子箱は、上記端子カバーの内側から端子箱装着孔に給電線を挿入したうえで該端子箱装着孔に挿入され、端子箱装着孔内に形成した内向きの固定段部と、給電用端子箱に形成した端子カバー支持部とを当接させて、電磁弁本体に対する端子カバーの被着時に該給電用端子箱が端子箱装着孔に抜止めされた状態で取り付けられていることを特徴とするものである。
【０００７】
本発明の好ましい実施形態においては、上記端子収容箱と蓋体とにおける給電線導入部の相対する位置にそれぞれ半円溝が形成され、これらの半円溝間に上記給電線が挟持される。
また、上記端子収容箱と蓋体とが、一方に形成した係止用突部と他方に形成した係止穴との係止によって一体に結合され、更に具体的には、上記蓋体が、弾性変形可能な左右の側壁と、これらの側壁に形成された複数の上記係止穴とを有し、上記端子収容箱は、上記左右の側壁間に弾力的に嵌め込まれていて、該端子収容箱の両側面に形成された複数の係止用突部が上記係止穴に係止するものとして構成される。
【０００８】
本発明の他の好ましい実施形態においては、上記端子収容箱が、その内部に凹溝状の端子収容室を有し、該端子収容室の中央部に係合用突部が突設され、上記給電用端子に形成した係合用孔が該係合用突部に係合して、給電用端子が端子収容箱内で位置決めされる。
本発明の更に他の好ましい実施形態においては、上記端子カバーの一端側に電磁弁本体との接合面から突出する鉤形掛止部材が設けられ、該鉤形掛止部材が電磁弁本体に形成した掛止孔に挿入されて、鉤形掛止部材が該掛止孔の周縁部に掛止されると共に、端子カバーの他端側が固定ねじによって電磁弁本体に固定される。
【発明の効果】
【０００９】
上述した本発明の電磁弁においては、電磁操作部のコイルに電気的に導通するソケットを設けた電磁弁本体に端子カバーを装着し、該端子カバーの上記ソケットと対応する位置に端子箱装着孔を設け、給電線の先端に取り付けられ且つ上記ソケットに挿入されるピン状の給電用端子を有する給電用端子筺を、その給電線を端子カバーの内側から端子箱装着孔に挿入したうえで該端子箱装着孔に給電用端子箱を挿入し、その際、端子箱装着孔内に形成した固定段部と給電用端子箱に形成した端子カバー支持部とが当接し、給電用端子箱が端子箱装着孔内に抜止めされた状態で取り付けられるようにしたので、上記端子カバーを電磁弁本体に装着すれば、電源に接続される給電線の先端のピン状の給電用端子がみだりに外部に露出することがなく、前記既提案の電磁弁本体をそのまま利用して、プリント基板の搭載を省略した電磁弁を、電気的に安全なものとして提供することができる。
【発明を実施するための最良の形態】
【００１０】
以下、本発明の実施例を図１〜図８に基づいて説明する。
図１において、本発明の実施例に係る電磁弁は、大きく分けると、３ポートの方向切換弁として流体通路の切換えを行うように構成された通路切換部１１及びこの通路切換部１１を操作する電磁操作部１２からなり、通路切換部１１の側面に、上記電磁操作部１２に電気的に導通するソケット４１を備えた電磁弁本体１０と、上記電磁操作部１２に給電するための給電装置１３とで構成されている。
【００１１】
上記通路切換部１１は、電気絶縁性の合成樹脂製で実質的に四角いブロックからなる弁ボディ１６を有し、この弁ボディ１６に、その第１側面１６ａに開口する供給ポートＰ、出力ポートＡ、排出ポートＲが形成されている。上記弁ボディ１６には、電磁操作部１２を連結した端面とは反対側の端面１６ｃから該弁ボディ１６の内部に向けて、弁室１９を形成する円形断面の孔１９ａが設けられ、この孔１９ａに弁座ブロック１７が装着され、この弁座ブロック１７が、上記端面１６ｃに取り付けられた固定板１８によって上記孔１９ａ内に固定されている。上記弁座ブロック１７により上記孔１９ａ内に区画形成された弁室１９内には、ポペット式の弁体２０が軸線方向に往復動可能に配設されている。
【００１２】
上記弁座ブロック１７には、供給ポートＰと弁室１９とを連通させる供給側通路２１が形成されている。また、弁ボディ１６には、排出ポートＲと弁室１９とを連通させる排出側通路２２が形成されている。なお、供給ポートＰにはフィルタ２１ａを設けている。そして、上記供給側通路２１の開口の回りの供給弁座２１ａと、排出側通路２２の開口の回りの排出弁座２２ａとは、上記弁室１９内の相対する位置を占め、これらの弁座間に上記弁体２０が介在している。該弁体２０は、断面Ｌ字形で環状の弁ホルダー２３により保持され、該弁ホルダー２３と後述の可動鉄心２７との間に複数個のプッシュロッド２４、環状の押圧部材３６及び押圧ばね３７が、可動鉄心２７と共に往復動可能な状態に配設されている。可動鉄心２７の先端に開口する有底孔の底面と押圧部材３６との間に上記押圧ばね３７が介装されており、そのため、可動鉄心２７の運動は押圧ばね３７，押圧部材３６、プッシュロッド２４を有する弁ホルダー２３を介して弁体２０に伝えられる。そして、供給弁座２１ａの周囲の環状溝と弁体２０との間には、弁ばね２５が介装され、弁ばね２５の弾発力により弁体２０が排出弁座２２ａに向けて付勢されている。また、出力ポートＡは常に弁室１９と連通するように形成されている。
【００１３】
電磁操作部１２の磁気カバー２６は、円形、長円形等の断面形状を有する一端開放形の中空のもので、環状のボビン２８が収容され、該ボビン２８にはコイル２９が巻回され、コイル２９の両端は、ボビン２８から互いに並行に突出して先端が弁ボディ１６の端子受容室３９内に挿入されている一対のコイル端子３０に接続されている。図１には、コイル２９の一端に接続された一方のコイル端子３０が示されていて、他方のコイル端子とそれに関連する給電用部材は図示されていない。ボビン２８の内孔３１には、磁気カバー２６の端壁部２６ａに接触するように固定鉄心３２が配設されると共に、該固定鉄心３２に磁気吸着される可動鉄心２７が摺動自在に配設されている。
【００１４】
磁気カバー２６の内部には、ボビン２８と弁ボディ１６との間に磁気プレート３３が介装され、この磁気プレート３３の外周が上記磁気カバー２６の内面に当接されており、これによってこれらの磁気カバー２６と磁気プレート３３とが相互に磁気結合されている。磁気プレート３３の内孔はボビン２８の内孔３１と略同径である。上記可動鉄心２７の先端部には、環状の合成樹脂製キャップ３４が固定され、キャップ３４の先端のフランジ状のばね座と磁気プレート３３の環状溝との間に復帰ばね３５が介装されている。
通路切換部１１と電磁操作部１２とは、磁気カバー２６の開口端側に形成された係止部２６ｂをかしめて弁ボディ１６の凹部に係止させることにより、相互に連結されている。
【００１５】
図１はコイル２９が非励磁の状態を示している。この状態では、弁ばね２５よりもばね力の強い復帰ばね３５が、弁ばね２５の付勢力に抗して、可動鉄心２７を弁ボディ１６側に向けて付勢している。この付勢力が、可動鉄心２７から押圧ばね３７，押圧部材３６，プッシュロッド２４，弁ホルダー２３を介して弁体２０に伝達され、弁体２０は、弁座ブロック１７の供給弁座２１ａに当接して供給弁座２１ａを閉鎖すると共に、排出弁座２２ａを開放している。このため、供給ポートＰと弁室１９との連通が遮断され、出力ポートＡと排出ポートＲが連通している。
上記コイル２９が通電により励磁されると、固定鉄心３２と可動鉄心２７との間に磁気吸引力が発生し、この吸引力により可動鉄心２７が固定鉄心３２に吸引されるため、弁体２０が供給弁座２１ａを開放して排出弁座２２ａを閉鎖する。このため、排出ポートＲと弁室１９との連通が遮断され、供給ポートＰと出力ポートＡとが連通される。
【００１６】
上記弁ボディ１６のポートＰ，Ａ，Ｒが形成された第１側面１６ａの反対側にある第２側面１６ｂには、電磁操作部１２寄りの位置に、電磁弁本体１０の第２側面１６ｂから外方に向けて突出する四角形で中空の２つのソケット収容部４０が、弁ボディ１６と一体に形成されている。このソケット収容部４０は、上記第２側面１６ｂと平行に延びるコイル端子３０の先端部と対応する位置に形成されていて、その内部に各コイル端子３０の位置まで達する２つの中空部４０ａを備え、各中空部４０ａ内には、それぞれソケット４１が収容されている。このソケット４１は、図５から分かるように、弾性ある導電性金属板の折曲により、電磁操作部１２側から挿入されたコイル端子３０の先端を弾性的に挟んで、コイル端子３０とソケット４１とを電気的及び機械的に接続する挟持部４１ａを有すると共に、外部から挿入される後述の給電用端子５１の先端を弾性的に挟んで該給電用端子５１とソケット４１とを電気的及び機械的に接続する挟持部４１ｂを有するものである。
【００１７】
また、弁ボディ１６の第２側面１６ｂと電磁操作部１２の側面１２ａとは、ソケット収容部４０以外は外部に大きく突出する部分を持たない実質的に平らか又は平らに近い一つの面となっていて、この面によって電磁弁本体１０の側面に、端子カバー取付面１０ａが形成されている。そして、図１及び図７から分かるように、この端子カバー取付面１０ａに、通路切換部１１と電磁操作部１２とに跨る大きさを有する端子カバー４３が配設され、後述の方法により端子カバー４３が電磁弁本体１０に取り付けられている。
上記端子カバー４３には上記ソケット収容部４０と対応する位置に、端子カバー４３の内外に開口する２つの端子箱装着孔４７が形成され、該端子箱装着孔４７に装着される給電用端子箱５０の２つの給電用端子５１は、上記ソケット４１に電気接続されるように配置されている。
【００１８】
図１及び図７に示しているように、端子カバー４３の一端側には電磁弁本体１０との接合面から突出する一対の鉤形掛止部材４６が設けられ、該鉤形掛止部材４６が電磁弁本体１０の磁気カバー２６に形成した一対の掛止孔２６ｃに挿入されて、鉤形掛止部材４６の掛止部が掛止孔２６ｃの周縁部に掛止され、また端子カバー４３の他端側に設けられた通孔に固定ねじ４４が挿通され、且つ固定ねじ４４が弁ボディ１６に形成した雌ねじに螺合され、こうして端子カバー４３が電磁弁本体１０に取り付けられ固定されている。また、端子カバー４３と弁ボディ１６とに設けられた各２個の通孔に取付ねじ４５が挿通され、取付ねじ４５によって電磁弁がマニホールド等に取り付けられるようになっている。
【００１９】
次に、上記端子箱装着孔４７に装着する給電用端子箱５０について説明する。
給電用端子箱５０は、一面が開放する矩形の箱形をした端子収容箱５２及び該端子収容箱５２の開放する一面を塞ぐ矩形の蓋体５３からなる分割式のハウジング５４と、該ハウジング５４内に収容されて給電線５５がそれぞれ接続された２つの給電用端子５１とで構成されている。給電線５５の先端（絶縁部）は、給電用端子５１の基端部の抱持腕５１ａに挟持され、給電線５５の導電用の芯線５６は、抱持腕５１ａの先端側の近傍位置で給電用端子５１の芯線挟持部５１ｂに挟持され、電気接続されている。給電用端子５１は導電性金属板を折り曲げて製作され、給電用端子５１の端子収容箱５２側に向く側面は平面であり、上記抱持腕５１ａ及び芯線挟持部５１ｂは、幅狭の上記平面の左右から蓋体５３に側に向けて各半円形状に屈曲突出されており、芯線挟持部５１ｂの先端側においては幅広の上記平面に係合用孔５８が形成され、該係合用孔５８の両側には上記蓋体５３側に向けて突出する２つの平板状の支持部５７が形成され、該係合用孔５８の先端側は、幅狭の上記平面の両側を蓋体５３側に向けて折曲することにより、給電用端子５１におけるピン状の挿通部５１ｃが形成されている。
【００２０】
上記端子収容箱５２は、その内部に間隔をおいて位置する凹溝状をした２つの端子収容室５９を有し、端子収容室５９の底部にはそれぞれ端子用挿通孔６０が形成され、上下に延びるこれらの端子収容室５９内に、給電線５５が接続された上記給電用端子５１がそれぞれ係止状態で収容されるように構成されている。
一方、上記端子収容箱５２及び蓋体５３の上端の互いに相対する位置には、給電線５５が嵌合する２つの半円溝６１ａ及び６７ａをそれぞれ備えたガイド部６１及び６７が一体に形成され、相対する半円溝６１ａと６７ａとの間に給電線５５の先端部が嵌合、挟持されるように形成されている。
【００２１】
また、上記端子収容箱５２の左右の側面６６には各１個の係止用突部６３が突設され、これに対して蓋体５３の左右の側壁７１には、上記係止用突部６３に弾性的に係止する各１個の係止穴６９が形成され、これらの係止用突部６３と係止穴６９とによって端子収容箱５２と蓋体５３とを組立状態に係止させるための係止機構が構成されている。
更に、上記端子収容箱５２の端子収容室５９の中央部には、上記給電用端子５１の係合用孔５８と係合して、給電用端子５１を所定位置に位置決めするための係合用突部６５が突設され、端子収容室５９の前面両側に隣接する位置には、給電用端子５１の一対の支持部５７の外側面に当接する一対の突出部６４が突設されている。また、上記蓋体５３の内面には、一対の給電用端子５１の支持部５７の先端を支持するための挿入部７０が形成されている。
【００２２】
上記ハウジング５４に、給電線５５を接続した２つの給電用端子５１を組み立てるときには、先ず、給電用端子５１の挿通部５１Ｃを端子収容室５９の端子用挿通孔６０に挿通し、給電用端子５１の係合用孔５８を端子収容箱５２の係合用突部６５に係合させると同時に、一対の支持部５７の外面を一対の突出部６４の内面に当接させ、給電線５５を各半円溝６１ａに嵌合させる。次に、端子収容箱５２の開口部側において左右の側面６６及び突出部６４に蓋体５３の両側壁７１の内面を嵌合させ、該蓋体５３を端子収容箱５２に向けて強く押し込む。すると、蓋体５３の側壁７１と端子収容箱５２の側面６６とが弾性変形し、端子収容箱５２の係止用突部６３が両側壁７１の内面に接触しながら移動し、２個の係止用突部６３が２個の係止穴６９に係止され、同時に給電用端子５１の一対の支持部５７の先端が蓋体５３の内面の挿入部７０に挿入されるに至る。こうして、端子収容箱５２と蓋体５３との間に給電線５５及び給電用端子５１を挟着固定した状態で、上記端子カバー４３の端子箱装着孔４７に装着するための給電用端子箱５０が組み立てられる。
なお、係止用突部６３を蓋体５３の両側壁７１に設け、係止穴６９を端子収容箱５２の側面６６に設けても良い。
【００２３】
次に、上記給電用端子箱５０を端子カバー４３の端子箱装着孔４７に装着し、この端子カバー４３を電磁弁本体１０に取り付けることについて説明する。
給電用端子箱５０を端子カバー４３の端子箱装着孔４７に装着するには、まず、給電線５５を端子カバー４３の内側から端子箱装着孔４７に挿通させ、装着後には図２〜図５等に示しているように、端子収容箱５２の背面７３を端子箱装着孔４７の第１孔壁７５に対向させると共に、給電用端子箱５０における蓋体５３の背面７２を端子箱装着孔４７の第２孔壁７６に対向させた状態になるようにして、端子カバー４３及び給電用端子箱５０の位置及び方向を定め、給電用端子箱５０及び給電線５５を端子カバー４３の内側から端子箱装着孔４７に挿入し装着する。
【００２４】
これにより、端子カバー４３の端子箱装着孔４７内に形成した内向きの固定段部７７に対して、端子収容箱５２に形成した端子カバー支持部６２が当接し、更に端子収容箱５２に設けた一対のガイド部６１間、及び蓋体５３に設けた一対のガイド部６７間における端子カバー支持部６２ａ及び６８が、端子カバー４３内面の図示しない固定段部に当接し、これにより給電用端子箱５０が端子カバー４３内に位置決めされ、電磁弁本体１０に対する端子カバー４３の被着時に、給電用端子箱５０が端子箱装着孔４７に抜け止めされた状態で取り付けられる。
【００２５】
電磁弁本体１０に対する端子カバー４３の装着は、前述のとおり鉤形掛止部材４６及び固定ねじ４４を用いて行われ、給電用端子箱５０が装着された端子カバー４３を電磁弁本体１０に取り付け固定すると、給電用端子箱５０内の給電用端子５１がソケット４１にプラグイン式に電気接続され、給電用端子５１とコイル端子３０とが導通し、電磁弁の組立が完成する。
【００２６】
給電用端子箱５０を装着した端子カバー４３が電磁弁本体１０に取り付けられる前は、電源に接続される給電用端子５１の先端部が給電用端子箱５０の先端に露出しているが、電磁弁の完成後は、給電用端子５１の前記先端部はソケット収容部４０の内部にあるので、給電用端子５１は外部に露出することはなく安全性が確保されている。
【図面の簡単な説明】
【００２７】
【図１】本発明の実施例を示す縦断側面図である。
【図２】上記実施例における給電用端子箱の分解斜視図である。
【図３】上記実施例における給電用端子箱を他の方向から見た分解斜視図である。
【図４】上記給電用端子箱における端子収容箱に給電用端子を収容した状態を示す正面図である。
【図５】図１の要部拡大断面図である。
【図６】上記実施例の電磁弁を、通路切換部、電磁操作部、給電装置等に分解して示す斜視図である。
【図７】上記実施例の電磁弁を、電磁弁本体、給電装置等に分解して示す斜視図である。
【図８】上記電磁弁の組立状態を示す斜視図である。
【符号の説明】
【００２８】
１０  電磁弁本体
１１  通路切換部
１２  電磁操作部
１３  給電装置
２９  コイル
４１  ソケット
４３  端子カバー
４７  端子箱装着孔
５０  給電用端子箱
５１  給電用端子
５２  端子収容箱
５３  蓋体
５５  給電線
６２  端子カバー支持部
７７  固定段部
【図１】
2008309243.tif 000003
【図２】
2008309243.tif 000004
【図３】
2008309243.tif 000005
【図４】
2008309243.tif 000006
【図５】
2008309243.tif 000007
【図６】
2008309243.tif 000008
【図７】
2008309243.tif 000009
【図８】
2008309243.tif 000010